【手続補正書】
【提出日】令和1年11月8日(2019.11.8)
【手続補正１】
【補正対象書類名】明細書
【補正対象項目名】００１１
【補正方法】変更
【補正の内容】
【００１１】
（表示パネル１０）
表示パネル１０は、コントローラ４０およびドライバ５０によって各画素１１がアクティブマトリクス駆動されることにより、外部から入力された映像信号Ｄｉｎおよび同期信号Ｔｉｎに基づく画像を表示する。表示パネル１０は、行方向に延在する複数の走査線ＷＳＬと、列方向に延在する複数の信号線ＤＴＬと、行方向に延在する複数の電源線ＤＳＬと、行列状に配置された複数の画素１１とを有している。
【手続補正２】
【補正対象書類名】明細書
【補正対象項目名】００１９
【補正方法】変更
【補正の内容】
【００１９】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が有機電界発光素子１２−２の陽極２１に接続されている。保持容量Ｃｓの一端が駆動トランジスタＴｒ１のゲートに接続されている。保持容量Ｃｓの他端が駆動トランジスタＴｒ１のソースおよびドレインのうち有機電界発光素子１２−２側の端子に接続されている。
【手続補正３】
【補正対象書類名】明細書
【補正対象項目名】００２０
【補正方法】変更
【補正の内容】
【００２０】
（フォトクロミック層２０）
フォトクロミック層２０は、例えば、紫外光により発色し可視光により消色もしくは淡色化するフォトクロミック化合物によって構成されている。フォトクロミック化合物としては、例えば、アゾベンゼン、フルギド、スピロピラン、ジアリ−ルエテン誘導体などが挙げられる。アゾベンゼンおよびフルギドは、紫外光により燈色に発色し、可視光により淡黄色に発色する。スピロピランおよびジアリ−ルエテン誘導体は、紫外光により青色に発色し、可視光により無色になる（消色する）。フォトクロミック層２０は、画素１１ごともしくは副画素１２ごとに１つずつ設けられた複数のフォトクロミック素子によって構成されていていてもよい。フォトクロミック層２０は、例えば、表示パネル１０の映像表示面１Ａと対向する領域全体に設けられている。
【手続補正４】
【補正対象書類名】明細書
【補正対象項目名】００４０
【補正方法】変更
【補正の内容】
【００４０】
正孔輸送層２３の原料（材料）である正孔輸送性材料２３Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、トリフェニルメタン誘導体、テトラフェニルベンジン誘導体等、または、これらの組み合わせからなる材料である。正孔注入層２２と正孔輸送層２３の各材料のＨＯＭＯ(最高被占軌道，Highest occupied molecular orbital)レベルの差異は、ホール注入性を考慮すると、０．５ｅＶ以下となっていることが好ましい。
【手続補正５】
【補正対象書類名】明細書
【補正対象項目名】００４１
【補正方法】変更
【補正の内容】
【００４１】
発光層２４は、陽極２１から注入された正孔と、陰極２７から注入された電子とが、発光層２４内で再結合することで励起子が生成されて発光する層である。発光層２４は、例えば、塗布膜である。発光層２４は、正孔と電子との再結合により励起子を生成し発光する有機材料（以下、「有機発光材料２４Ｍ」と称する。）を溶質の主成分とする溶液の塗布および乾燥により形成されている。発光層２４は、有機発光材料２４Ｍを主成分として含んで構成されている。副画素１２Ｒに含まれる有機電界発光素子１２−２ｒでは、有機発光材料２４Ｍが、電流印加により赤色光を発する有機材料を含んで構成されている。つまり、副画素１２Ｒは、電流印加により赤色光を発する発光層２４（有機発光層）を有している。副画素１２Ｇに含まれる有機電界発光素子１２−２ｇでは、有機発光材料２４Ｍが、電流印加により緑色光を発する有機材料を含んで構成されている。つまり、副画素１２Ｇは、電流印加により緑色光を発する発光層２４（有機発光層）を有している。副画素１２Ｂに含まれる有機電界発光素子１２−２ｂでは、有機発光材料２４Ｍが、電流印加により青色光を発する有機材料を含んで構成されている。つまり、副画素１２Ｂは、電流印加により青色光を発する発光層２４（有機発光層）を有している。副画素１２Ｕに含まれる有機電界発光素子１２ｕでは、有機発光材料２４Ｍが、電流印加により紫外光を発する有機材料を含んで構成されている。つまり、副画素１２Ｕは、電流印加により紫外光を発する発光層２４（紫外発光層）を有している。
【手続補正６】
【補正対象書類名】明細書
【補正対象項目名】００５３
【補正方法】変更
【補正の内容】
【００５３】
本実施の形態では、表示パネル１０、フォトクロミック層２０および紫外光吸収層３０が設けられている。このとき、映像表示時には、例えば、図６に示したように、副画素１２Ｒからは赤色光Ｌｒが、副画素１２Ｇからは緑色光Ｌｇが、副画素１２Ｂからは青色光Ｌｂが、副画素１２Ｕからは紫外光Ｌｕが発せられる。これにより、副画素１２Ｕから発せられた紫外光がフォトクロミック層２０に照射され、フォトクロミック層２０が所定の色に発色する。フォトクロミック化合物がアゾベンゼンまたはフルギドである場合には、フォトクロミック層２０は紫外光により燈色に発色する。フォトクロミック化合物がスピロピランまたはジアリ−ルエテン誘導体である場合には、フォトクロミック層２０は紫外光により青色に発色する。その結果、例えば、各画素１１によって生成された映像の背後に、フォトクロミック層２０によって生成された背景が重ね合わされるので、映像表示面１Ａにおけるコントラストが改善される。従って、コントラスト低下などによる視認性の悪化を低減することができる。
【手続補正７】
【補正対象書類名】明細書
【補正対象項目名】００５５
【補正方法】変更
【補正の内容】
【００５５】
また、本実施の形態では、各画素１１は、赤色発光層，緑色発光層および青色発光層を含む副画素１２Ｒ，１２Ｇ，１２Ｂ（第１副画素）と、紫外発光層を含む副画素１２Ｕ（第２副画素）とを含んで構成されている。これにより、例えば、一般的なＲＧＢ発光をする有機電界表示パネルの各画素に対して紫外光用の副画素を追加するだけで、本実施の形態に係る表示パネル１０を形成することができる。
【手続補正８】
【補正対象書類名】明細書
【補正対象項目名】００５９
【補正方法】変更
【補正の内容】
【００５９】
これにより、映像表示時には、例えば、図７に示したように、副画素１２Ｒからは赤色光Ｌｒが、副画素１２Ｇからは緑色光Ｌｇが、副画素１２Ｂからは青色光Ｌｂおよび紫外光Ｌｕが発せられる。これにより、副画素１２Ｂから発せられた紫外光がフォトクロミック層２０に照射され、フォトクロミック層２０が所定の色に発色する。フォトクロミック化合物がアゾベンゼンまたはフルギドである場合には、フォトクロミック層２０は紫外光により燈色に発色する。フォトクロミック化合物がスピロピランまたはジアリ−ルエテン誘導体である場合には、フォトクロミック層２０は紫外光により青色に発色する。その結果、例えば、各画素１１によって生成された映像の背後に、フォトクロミック層２０によって生成された背景が重ね合わされるので、映像表示面１Ａにおけるコントラストが改善される。従って、コントラスト低下などによる視認性の悪化を低減することができる。
【手続補正９】
【補正対象書類名】明細書
【補正対象項目名】００６０
【補正方法】変更
【補正の内容】
【００６０】
また、本変形例では、各画素１１は、赤色発光層，緑色発光層および青色・紫外光発光層を含む副画素１２Ｒ，１２Ｇ，１２Ｂを含んで構成されている。つまり、副画素１２Ｂに含まれる有機電界発光素子１２−２が、電流印加により可視光および紫外光を含む光を発する有機層（発光層２４）によって構成されている。これにより、例えば、一般的なＲＧＢ発光をする有機電界表示パネルの各画素の青色副画素を青色・紫外光用の副画素に置き換えるだけで、本変形例に係る表示パネル１０を形成することができる。
【手続補正１０】
【補正対象書類名】明細書
【補正対象項目名】００６２
【補正方法】変更
【補正の内容】
【００６２】
[変形例Ｃ]
図１０は、上記実施の形態に係る表示装置１の概略構成の一変形例を表したものである。本変形例に係る表示装置１では、副画素１２Ｕが省略されている。本変形例に係る表示装置１は、表示パネル１０と、フォトクロミック層２０との間に導光板８０を備えており、さらに、導光板８０のエッジに紫外光を照射するエッジライト６０（紫外光源）を備えている。導光板８０は、導光板８０のエッジから入射した光を表示パネル１０側に向けて照射する。
【手続補正１１】
【補正対象書類名】明細書
【補正対象項目名】００６３
【補正方法】変更
【補正の内容】
【００６３】
エッジライト６０は、導光板８０の少なくとも１つのエッジに沿って設けられている。エッジライト６０は、例えば、導光板８０のエッジのうちエッジライト６０と対向する部分に一斉に光を照射するようになっている。このとき、導光板８０は、導光板８０のエッジから入射した光を、導光板８０の下面（フォトクロミック層２０側の面）全体から出射する。つまり、このとき、導光板８０は、面発光源（面紫外光源）として機能する。
【手続補正１２】
【補正対象書類名】明細書
【補正対象項目名】００６４
【補正方法】変更
【補正の内容】
【００６４】
エッジライト６０が、例えば、図１１に示したように、導光板８０の１つのエッジと対向する部分に設けられたエッジライト６１と、導光板８０のエッジのうち、エッジライト６１と対向するエッジと直交するエッジと対向する部分に設けられたエッジライト６２とによって構成されていてもよい。このとき、エッジライト６１，６２は、互いに独立して紫外光を導光板８０のエッジに部分的に照射する。エッジライト６１から出射された紫外光Ｌｕ１と、エッジライト６２から出射された紫外光Ｌｕ２は、導光板８０内において交差する。その結果、導光板８０は、紫外光Ｌｕ１と紫外光Ｌｕ２とが互いに交差した箇所と対向する位置において局所的に強度の高い紫外光を導光板８０の下面から出射する。つまり、このとき、導光板８０は、エッジライト６１，６２によって強度分布を制御された紫外光を下面側から出射する面発光源（面紫外光源）として機能する。
【手続補正１３】
【補正対象書類名】明細書
【補正対象項目名】００６５
【補正方法】変更
【補正の内容】
【００６５】
これにより、映像表示時には、導光板８０の下面から紫外光をフォトクロミック層２０に向けて照射することにより、フォトクロミック層２０が所定の色に発色する。フォトクロミック化合物がアゾベンゼンまたはフルギドである場合には、フォトクロミック層２０は紫外光により燈色に発色する。フォトクロミック化合物がスピロピランまたはジアリ−ルエテン誘導体である場合には、フォトクロミック層２０は紫外光により青色に発色する。その結果、例えば、各画素１１によって生成された映像の背後に、フォトクロミック層２０によって生成された背景が重ね合わされるので、映像表示面１Ａにおけるコントラストが改善される。従って、コントラスト低下などによる視認性の悪化を低減することができる。
【手続補正１４】
【補正対象書類名】図面
【補正対象項目名】図１
【補正方法】変更
【補正の内容】
【図１】
2019186503.tif 000001
【手続補正１５】
【補正対象書類名】図面
【補正対象項目名】図８
【補正方法】変更
【補正の内容】
【図８】
2019186503.tif 000002
【手続補正１６】
【補正対象書類名】図面
【補正対象項目名】図１０
【補正方法】変更
【補正の内容】
【図１０】
2019186503.tif 000003
【手続補正１７】
【補正対象書類名】図面
【補正対象項目名】図１１
【補正方法】変更
【補正の内容】
【図１１】
2019186503.tif 000004
【手続補正１８】
【補正対象書類名】図面
【補正対象項目名】図１２
【補正方法】変更
【補正の内容】
【図１２】
2019186503.tif 000005